(57)【特許請求の範囲】
【請求項１】
ペダルを回転させる被験者が座る座部と、この座部を支持する固定部と、この固定部に対して高さを調節自在としたハンドル部と、上記被験者の手首または指先部分に装着されて最高血圧値や最低血圧値を計測する血圧センサを備えた運動療法装置において、上記ハンドル部に設けられ上記被験者に対して光線を照射する発光部と、この発光部から照射された光線を上記被験者の心臓位置に装着された反射部を介して受光したときに受光検知信号を出力する受光部と、この受光部からの受光検知信号を入力したときに血圧値の測定を開始する処理部とを備えた運動療法装置。
【請求項２】
受光部は、受光した光線の強さを検出しこの光線の強さが最大となったときに受光検知信号を出力することを特徴とする請求項１記載の運動療法装置。
【請求項３】
処理部は、ハンドル部の高さ調整時に受光部からの検知信号を入力できたときに、ハンドル部の高さ調整が終了したものとして終了アラームを発生させることを特徴とする請求項１または請求項２記載の運動療法装置。
【請求項４】
処理部は、受光部からの検知信号を入力できなくなったときに警告アラームを発生させるか、または血圧値の測定を中断させることを特徴とする請求項１から請求項３記載のうちのいずれか１項記載の運動療法装置。
【発明の詳細な説明】
【０００１】
【発明の属する技術分野】
この発明は、血圧センサが被験者の心臓の高さ位置にセットされているか否かの判断を行うことができる運動療法装置に関するものである。
【０００２】
【従来の技術】
図１０は従来の運動療法装置の使用方法を示す説明図、図１１はトノメトリ方式のセンサの計測原理を説明する説明図、図１２は各センサエレメントが計測した波形を示す波形図である。図において、１は被験者、２はペダル３を回転させる被験者１が座るサドル、４はこのサドル２を支持する固定部、５はこの固定部４に対して伸縮自在に支持される支柱６を有するハンドル部、７は被験者１の手首に取付けられるバンド７ａ内に設けられ、橈骨動脈の１拍毎の脈動を検出するトノメトリ型血圧センサ、８は空気が送り込まれたときに被験者１の上腕部を加圧するカフ８ａ内に設けられ、減圧過程での上腕動脈の脈動を検知するトノメトリ型血圧計の血圧校正用のカフ型血圧センサである。
【０００３】
９はトノメトリ型血圧計７の空気圧室およびカフ８ａに空気を送り込む小型加圧ポンプを駆動するとともに、トノメトリ型血圧センサ７およびカフ型血圧センサ８からの脈動信号に基づいて脈動分の振幅波形情報を解析し最高血圧値・最低血圧値を決定する処理部、１０は最高血圧値・最低血圧値や種々の情報が設定されるとともに、トノメトリ型血圧センサ７およびカフ型血圧センサ８からの最高血圧値・最低血圧値や種々の情報を表示する設定表示部、１１はトノメトリ型血圧センサ７およびカフ型血圧センサ８から入力された最高血圧値および最低血圧値と、設定表示部１０から入力された設定血圧値および設定心拍値とに基づいて被験者１に与える上記ペダル３の回転負荷の大きさを変更する回転負荷調整器である。また、ｈは被験者１の心臓の高さ位置、ｓはトノメトリ型血圧センサ７の高さ位置、Ｄは被験者１の心臓の高さ位置ｈとトノメトリ型血圧センサ７の高さ位置ｓとの高低差である。
【０００４】
次に動作について説明する。
まず、カフ型血圧計の動作について説明する。被験者１はハンドル部５を自分の運動しやすい高さに設定し、カフ８ａを上腕部に巻くと共にバンド７ａを手首に巻いた後に、運動療法装置の電源スイッチを入れると、圧力０ｍｍＨｇの設定や各部の初期設定が行われる。次に、スタートスイッチが押下されると小型加圧ポンプが作動し、カフ８ａに空気が送り込まれ上腕部を加圧する。そして、カフ８ａが所定の圧力に達した後、徐々に排気弁により２〜４ｍｍＨｇ／秒の一定の排気速度で減圧が行われる。この減圧過程でカフ型血圧センサ８がカフ８ａ内の脈動現象（脈圧と血流の変化）を検出し、Ａ／Ｄ変換されたディジタル信号として処理部９に出力される。
【０００５】
次に、この処理部９ではカフ型血圧センサ８から送られてきた信号に対して必要な演算処理を行い、最高血圧値と最低血圧値を決定し設定表示部１０に表示する。そして、最高血圧値と最低血圧値とを表示した後、電磁式の急速排気弁を作動させカフ８ａ内の空気を排気し血圧測定を終了する。なお、このトノメトリ型血圧計は、心拍一拍毎に血圧を測定できる特徴を有するものの基準となる他の血圧計での初期および数分に１回程度の校正が必要である。この校正にカフ型血圧計を使用するものである。その後、処理部９では演算処理された最高血圧値と最低血圧値、および被験者１により予め設定された設定最高血圧値と設定最低血圧値を回転負荷調整器１１に出力する。回転負荷調整器１１では、演算処理された最高血圧値と最低血圧値、および被験者１により予め設定された設定最高血圧値と設定最低血圧値に基づいて被験者１に与える上記ペダル３の回転負荷の大きさを変更する。
【０００６】
次に、トノメトリ方式のセンサの計測原理を簡単に説明すると、皮膚に密着したトノメトリ型血圧センサ７は、図１１に示すように、バンド７ａ内の空気圧室の圧力を高めることにより、皮膚内の血管（橈骨動脈）を圧迫する。そして、血管を圧迫すると、ダイヤフラム７ｃを介してバンド７ａに固定されたセンサ固定部７ｂの内に設けられた複数のセンサエレメント７ｄが互いに独立して血管内の圧力を連続的に計測する（図１２参照）。そして、各センサエレメント７ｄが計測した計測データは処理部９に伝送され、処理部９が各計測データを互いに比較し、最も計測状態が良好と思われるセンサエレメント７ｄを選定する。そして、それ以降は、その選定したセンサエレメント７ｄが計測したデータに基づいて１拍毎の最高血圧，最低血圧，脈拍数等を決定する。
【０００７】
ここで、上記最高血圧値と最低血圧値の測定時には、被験者１の心臓の高さ位置ｈとトノメトリ型血圧センサ７の高さ位置ｓとに大きな高低差Ｄが生じている場合には、この高低差Ｄにより水頭圧による誤差が発生し、最高血圧値および最低血圧値を精度よく測定できないものであった。したがって、このような運動療法装置においては、被験者１が心臓の高さ位置ｈとトノメトリ型血圧センサ７の高さ位置ｓとを合わせるように注意しなければならなかった。
【０００８】
【発明が解決しようとする課題】
従来の運動療法装置は以上のように構成されているので、被験者１が不注意によりトノメトリ型血圧センサ７の高さ位置ｓを心臓の高さ位置ｈに合わせることなく最高血圧値と最低血圧値の測定を行うことがあった。このため、心臓の高さ位置ｈとトノメトリ型血圧センサ７の高さ位置ｓとに高低差Ｄが生じ、この高低差Ｄが大きい場合には、水頭圧による誤差が発生し、最高血圧値および最低血圧値を精度よく測定できないなどの課題があった。
【０００９】
この発明は上記のような課題を解決するためになされたもので、被験者がトノメトリ型血圧センサの高さ位置を心臓の高さ位置に合わせたか否かの判断を行うことができ、最高血圧値および最低血圧値の測定を精度よく行うことができる運動療法装置を得ることを目的とする。
【００１１】
【課題を解決するための手段】
この発明に係る運動療法装置は、ハンドル部に設けられた発光部から照射された光線を受光部が被験者の心臓位置に装着された反射部を介して受光したときに受光検知信号を出力し、この受光部からの受光検知信号を入力した処理部により血圧値の測定を開始するようにしたものである。
【００１３】
この発明に係る運動療法装置は、受光部により受光した光線の強さを検出しこの光線の強さが最大となったときに受光検知信号を出力するようにしたものである。
【００１５】
この発明に係る運動療法装置は、処理部により、ハンドル部の高さ調整時に受光部からの受光検知信号を入力できたときにハンドル部の高さ調整が終了したものとして終了アラームを発生させるようにしたものである。
【００１６】
この発明に係る運動療法装置は、処理部により、受光部からの受光検知信号を入力できなくなったときに警告アラームを発生させるか、または血圧値の測定を中断させるようにしたものである。
【００１８】
【発明の実施の形態】
以下、この発明の実施の一形態を説明する。
実施の形態１．
図１はこの発明の実施の形態１による運動療法装置を示す構成図、図２はこの発明の実施の形態１による運動療法装置の使用状態を示す説明図であり、図において、１は被験者、２はペダル３を回転させる被験者１が座るサドル、４はこのサドル２を支持する固定部、５はこの固定部４に対して伸縮自在に支持される支柱６を有するハンドル部、７は被験者１の手首に取付けられるバンド７ａ内に設けられ、橈骨動脈の１拍毎の脈動を検出するトノメトリ型血圧センサ、８は空気が送り込まれたときに被験者１の上腕部を加圧するカフ８ａ内に設けられ、減圧過程での上腕動脈の脈動を検知する血圧校正用のカフ型血圧センサ（血圧センサ）である。９はトノメトリ型血圧センサ７の空気圧室およびカフ８ａに空気を送り込む小型加圧ポンプ１４を駆動するとともに、トノメトリ型血圧センサ７およびカフ型血圧センサ８からの脈動信号に基づいて脈動分の振幅波形情報を解析し最高血圧値・最低血圧値を決定する処理部である。
【００１９】
１０は最高血圧値・最低血圧値や種々の情報が設定されるとともに、トノメトリ型血圧センサ７およびカフ型血圧センサ８からの最高血圧値・最低血圧値や種々の情報を表示する設定表示部、１１はトノメトリ型血圧センサ７から入力された最高血圧値および最低血圧値と、設定表示部１０から入力された設定血圧値および設定心拍値とに基づいて被験者１に与える上記ペダルの回転負荷の大きさを変更する回転負荷調整器（回転負荷調整手段）である。１２はハンドル部５に設けられ被験者１に対してビーム状の光線１２ａ（例えば、可視光線）を照射する発光部、１３は測定開始スイッチであり、この測定開始スイッチ１３が押下されると小型加圧ポンプ１４が作動し、バンド７ａ内の空気圧室とカフ８ａとに空気が送り込まれ上腕を加圧し、血圧測定を開始する。また、ｈは被験者１の心臓の高さ位置、ｓはトノメトリ型血圧センサ７の高さ位置であり、このトノメトリ型血圧センサ７は被験者１の手首に位置するため、ハンドル部５の高さ位置とほぼ等しいものである。
【００２０】
次に動作について説明する。
まず、被験者１は設定表示部１０を介して予め設定最高血圧値と設定最低血圧値とを設定した後、被験者１はハンドル部５を自分の運動しやすい高さに設定するために、固定部４に対して支柱６を引き出したり、押し込んだりする。次に、バンド７ａを手首に巻くと共に、カフ８ａを上腕部に巻いた後に、運動療法装置の電源スイッチを入れると圧力０ｍｍＨｇの設定や各部の初期設定が行われる。そして、初期設定等が終了すると、ハンドル部５に設けられた発光部１２から光線１２ａが照射される。ここで、被験者１は発光部１２から照射された光線１２ａが被験者１の心臓の高さ位置ｈと合っていない場合には、再度ハンドル部５の高さを設定し直した後に、測定開始スイッチ１３を押下する。そして、処理部９が測定開始スイッチ１３の押下を検知すると、小型加圧ポンプ１４が作動し、最初にカフ８ａに空気を送り込み上腕部を加圧する。
【００２１】
その後、カフ８ａに空気を送り込み上腕部を加圧し、所定の圧力に達した後、徐々に排気弁により２〜４ｍｍＨｇ／秒の一定の排気速度で減圧が行われる。この減圧過程でカフ型血圧センサ８はカフ８ａ内の脈動現象を検出し、Ａ／Ｄ変換されたディジタル信号として処理部９に出力する。次に、この処理部９ではカフ型血圧センサ８から送られてきた信号に対して必要な演算処理を行い最高血圧値と最低血圧値を決定し、電磁式の急速排気弁を作動させカフ８ａ内の空気を排気し血圧測定を終了する。
【００２２】
その後、トノメトリ型血圧センサ７がカフ７ａ内の脈動現象（脈圧と血流の変化）を検出し、Ａ／Ｄ変換されたディジタル信号として処理部９に出力する。次に、この処理部９ではトノメトリ型血圧センサ７およびカフ型血圧センサ８から送られてきた信号に対して必要な演算処理を行い最高血圧値と最低血圧値を決定し、電磁式の急速排気弁を作動させカフ７ａ内の空気を排気し血圧測定を終了する。
【００２３】
次に、処理部９はカフ型血圧センサ８からの最高血圧値および最低血圧値とに応じてトノメトリ型血圧センサ７からの最高血圧値および最低血圧値とを校正し、この後、設定表示部１０に表示する。そして、処理部９では演算処理されたトノメトリ型血圧計での最高血圧値と最低血圧値、および被験者１により予め設定された設定最高血圧値と設定最低血圧値とを回転負荷調整器１１に出力する。回転負荷調整器１１では、演算処理された最高血圧値と最低血圧値、および被験者１により予め設定された設定最高血圧値と設定最低血圧値とに基づいて被験者１に与える上記ペダル３の回転負荷の大きさを変更する。
【００２４】
以上のように、この実施の形態１によれば、発光部１２からの光線１２ａが照射された後に、処理部９が最高血圧値および最低血圧値の測定を開始するため、被験者１はトノメトリ型血圧センサ７の高さ位置ｓを心臓の高さ位置ｈに合わせるように誘導される。したがって、トノメトリ型血圧センサ７の高さ位置ｓと心臓の高さ位置ｈとの高低差がなくなり、最高血圧値および最低血圧値を精度よく測定できるなどの効果が得られる。
【００２５】
実施の形態２．
図３はこの発明の実施の形態２による運動療法装置を示す構成図、図４はこの発明の実施の形態２による運動療法装置の使用状態を示す説明図であり、図において、実施の形態１と同一の符号については同一または相当部分を示すので説明を省略する。１５は受光部２２からの受光検知信号を入力したときに血圧測定処理を開始する処理部、２２は被験者１の心臓の高さ位置ｈに装着された反射部３１を介して発光部１２の反射光３１ａを受信する受光部である。
【００２６】
次に動作について説明する。
最高血圧値および最低血圧値を測定する際の手順について説明するが、実施の形態１と同一の動作については説明を省略する。
初期設定等が終了すると、ハンドル部５に設けられた発光部１２から光線１２ａが照射される。ここで、トノメトリ型血圧センサ７の高さ位置ｓと被験者１の心臓の高さ位置ｈとが合っていない場合には、反射部３１から反射された反射光３１ａが受光部２２に入射することができないため、処理部１５に受光検知信号が出力されない。そのため、被験者１が測定開始スイッチ１３を押下しても小型加圧ポンプ１４は作動しない。したがって、被験者１は反射部３１を介して発光部１２の反射光３１ａを受信できるようにハンドル部５の支柱６を上下させ、トノメトリ型血圧センサ７の高さ位置ｓと被験者１の心臓の高さ位置ｈとを合わせた後に、再度、測定開始スイッチ１３を押下する。
【００２７】
なお、トノメトリ型血圧センサ７の高さ位置ｓと被験者１の心臓の高さ位置ｈとが合っていない場合には、被験者１自身が反射光３１ａを受信できるように手動によりハンドル部５の支柱６を上下させていた。しかし、老人および子供等はハンドル部５の支柱６を簡単に上下させることができないという問題点が生じてくる。したがって、トノメトリ型血圧センサ７の高さ位置ｓと被験者１の心臓の高さ位置ｈとを自動的に合わせるハンドル部上下機構（図示なし）を固定部４内に設け、発光部１２から光線１２ａが照射される前に、支柱６を最上位位置にセットし、光線１２ａの照射後に支柱６を降下させ、処理部１５が受光部２２からの受光検知信号を受信したときに降下動作をさせ、トノメトリ型血圧センサ７の高さ位置ｓと被験者１の心臓の高さ位置ｈとを合わせるものでもよい。また、トノメトリ型血圧センサ７の高さ位置ｓと被験者１の心臓の高さ位置ｈとが合った場合には、ハンドル部５の高さ調整が終了したものとして終了アラームを発生させてもよい。
【００２８】
また、上記ハンドル部上下機構と処理部１５にメモリＩＣカード用のデータ書き込み読み出し機構（図示なし）を設け、メモリＩＣカードに被験者１自身の支柱６の位置、最高血圧値、および最低血圧値等を登録することにより、次回の運動療法時の高さ調節が容易となるとともに、前回の最高血圧値、および最低血圧値との相違を確認することができるなどの効果が得られる。
【００２９】
以上のように、この実施の形態２によれば、トノメトリ型血圧センサ７の高さ位置ｓと被験者１の心臓の高さ位置ｈとが合っていない場合には、測定開始スイッチ１３を押下しても小型加圧ポンプ１４が作動しないため、被験者１は確実にトノメトリ型血圧センサ７の高さ位置ｓを心臓の高さ位置ｈに合わせるように誘導される。したがって、トノメトリ型血圧センサ７の高さ位置ｓと心臓の高さ位置ｈとの高低差がなくなり、最高血圧値および最低血圧値を精度よく測定できるなどの効果が得られる。
【００３０】
実施の形態３．
図５はこの発明の実施の形態３による運動療法装置を示す構成図、図６はこの発明の実施の形態３による運動療法装置の使用状態を示す説明図であり、図において、実施の形態１および２と同一の符号については同一または相当部分を示すので説明を省略する。１６は受光部４２からの受光検知信号を入力したときに血圧測定処理を開始する処理部、４２は被験者１の心臓位置に装着された発光部５１からの光線５１ａの検知を開始し、この発光部５１からの光線５１ａを受光したときに受光検知信号を出力する受光部、５１は被験者１の心臓の高さ位置ｈに装着された発光部であり、発光部１１と同一機能のものである。
【００３１】
次に動作について説明する。
最高血圧値および最低血圧値を測定する際の手順について説明するが、実施の形態１および２と同一の動作については説明を省略する。
受光部４２は初期設定等が終了すると、被験者１の心臓位置に装着された発光部５１からの光線５１ａの検知を開始し、この発光部５１からの光線５１ａを受光したときに受光検知信号を出力する。そして、処理部１６では、この受光検知信号を受信した後に測定開始スイッチ１３が押下された場合には小型加圧ポンプ１４を作動し、血圧の測定を開始する。
【００３２】
しかし、トノメトリ型血圧センサ７の高さ位置ｓと被験者１の心臓の高さ位置ｈとが合っていない場合には、受光部４２では発光部５１からの光線５１ａを受光できないため、測定開始スイッチ１３を押下しても小型加圧ポンプ１４が作動しない。したがって、被験者１は受光部４２が発光部５１からの光線５１ａを受光できるようにハンドル部５の支柱６を上下させ、トノメトリ型血圧センサ７の高さ位置ｓと被験者１の心臓の高さ位置ｈとを合わせた後に、再度、測定開始スイッチ１３を押下する。なお、実施の形態２で示したように、トノメトリ型血圧センサ７の高さ位置ｓと被験者１の心臓の高さ位置ｈとを自動的に合わせるハンドル部上下機構を固定部４内に設けてもよい。
【００３３】
以上のように、この実施の形態３によれば、トノメトリ型血圧センサ７の高さ位置ｓと被験者１の心臓の高さ位置ｈとが合っていない場合には、受光部４２が発光部５１からの光線５１ａを受光できず、測定開始スイッチ１３を押下しても小型加圧ポンプ１４が作動しないため、被験者１はトノメトリ型血圧センサ７の高さ位置ｓを心臓の高さ位置ｈに合わせるように誘導される。したがって、トノメトリ型血圧センサ７の高さ位置ｓと心臓の高さ位置ｈとの高低差がなくなり、最高血圧値および最低血圧値を精度よく測定できるなどの効果が得られる。
【００３４】
実施の形態４．
上記実施の形態２および３では、受光部２２，４２は光線３１ａ，５１ａを受光することにより受光検知信号を出力するものについて示した。しかし、トノメトリ型血圧センサ７の高さ位置ｓと被験者１の心臓の高さ位置ｈとを自動的に合わせるハンドル部上下機構を固定部４内に設けた運動療法装置において、受光した光線３１ａ，５１ａの強さを検出し、この光線３１ａ，５１ａの強さが最大となったときに受光検知信号を出力するようにしてもよく、上記実施の形態２，３と同様の効果の他に、被験者１がトノメトリ型血圧センサ７の高さ位置ｓと心臓の高さ位置ｈとをより正確に合わせることができるという効果を奏する。
【００３５】
実施の形態５．
上記実施の形態２および３では、処理部１５，１６は血圧測定の最中に、受光部２２，４２は光線３１ａ，５１ａを受光できなくなった場合でも、すなわち、トノメトリ型血圧センサ７の高さ位置ｓと被験者１の心臓の高さ位置ｈとが合っていない場合でも、最高血圧値および最低血圧値の測定を続行するものについて示したが、光線３１ａ，５１ａを受光できなくなった場合には、被験者１に注意を促すようにアラームを発生させるようにしてもよい。または、最高血圧値および最低血圧値の測定を中断させてもよく、この場合には、上記実施の形態２，３と同様の効果の他に、誤った最高血圧値または最低血圧値を除外することができるという効果を奏する。
【００３６】
実施の形態６．
図７はこの発明の実施の形態６による運動療法装置を示す構成図、図８はこの発明の実施の形態６による運動療法装置の撮像部の撮像状態を示す状態図であり、図において、実施の形態１および２と同一の符号については同一または相当部分を示すので説明を省略する。１７はこの撮像部６２からの撮像検知信号を入力するとともに、測定開始スイッチ１３が押下されたときに血圧測定処理を開始する処理部である。６２は撮像部（例えば、小型のＣＣＤカメラ）であり、被験者１の撮像を開始し、画面の特定部位６５を被験者１の心臓位置に装着された位置特定部６６に一致させることができたときに、処理部１７に撮像検知信号を出力する。
【００３７】
次に動作について説明する。
最高血圧値および最低血圧値を測定する際の手順について説明するが、実施の形態１および２と同一の動作については説明を省略する。
撮像部６２は初期設定後に被験者１の撮像を開始し、画面の特定部位６５を被験者１の心臓位置に装着された位置特定部６６に一致させることができたときに、処理部１７に撮像検知信号を出力する。そして、処理部１７では、この撮像検知信号を受信した後に測定開始スイッチ１３が押下された場合には小型加圧ポンプ１４を作動し、最高血圧値および最低血圧値の測定を開始する。
【００３８】
しかし、トノメトリ型血圧センサ７の高さ位置ｓと被験者１の心臓の高さ位置ｈとが合っていない場合には、撮像検知信号を受信できないため、測定開始スイッチ１３を押下しても小型加圧ポンプ１４が作動しない。したがって、被験者１は画面の特定部位６５を被験者１の心臓位置に装着された位置特定部６６に一致させるようにハンドル部５の支柱６を上下させ、トノメトリ型血圧センサ７の高さ位置ｓと被験者１の心臓の高さ位置ｈとを合わせた後に、再度、測定開始スイッチ１３を押下する。なお、実施の形態２で示したように、トノメトリ型血圧センサ７の高さ位置ｓと被験者１の心臓の高さ位置ｈとを自動的に合わせるハンドル部上下機構を固定部４内に設けてもよい。
【００３９】
以上のように、この実施の形態６によれば、トノメトリ型血圧センサ７の高さ位置ｓと被験者１の心臓の高さ位置ｈとが合っていない場合には、撮像部６２からの撮像検知信号を受信できず、測定開始スイッチ１３を押下しても小型加圧ポンプ１４が作動しないため、被験者１はトノメトリ型血圧センサ７の高さ位置ｓを心臓の高さ位置ｈに合わせるように誘導される。したがって、トノメトリ型血圧センサ７の高さ位置ｓと心臓の高さ位置ｈとの高低差がなくなり、最高血圧値および最低血圧値を精度よく測定できるなどの効果が得られる。
【００４０】
実施の形態７．
図９はこの発明の実施の形態７による運動療法装置を示す構成図、図において、実施の形態１および２と同一の符号については同一または相当部分を示すので説明を省略する。７１は小型加圧ポンプ１４を作動させることにより被験者１の方向に自動的に引き延ばされ、トノメトリ型血圧センサ７と被験者１の心臓との高さｈを一致させる伸縮自在の高さ位置合わせ部材である。本実施の形態においては、高さ位置合わせ部材７１が引き延ばされた後でなければ、測定開始スイッチ１３を押下しても小型加圧ポンプ１４が作動しないため、被験者１はトノメトリ型血圧センサ７の高さ位置ｓを心臓の高さ位置ｈに合わせるように誘導される。したがって、トノメトリ型血圧センサ７の高さ位置ｓと心臓の高さ位置ｈとの高低差がなくなり、最高血圧値および最低血圧値をより容易に精度よく測定できるなどの効果が得られる。なお、トノメトリ型血圧計以外の手首型血圧計又は指先型血圧計でもよい。さらに、運動機器は自転車以外のベルト回転形でもよい。
【００４２】
【発明の効果】
この発明によれば、ハンドル部に設けられた発光部から照射された光線を受光部が被験者の心臓位置に装着された反射部を介して受光したときに受光検知信号を出力し、この受光部からの受光検知信号を入力した処理部により最高血圧値および最低血圧値の測定を開始するように構成したので、被験者が血圧センサの位置を心臓位置に合わせたか否かを判断でき、血圧値を精度よく測定できるという効果がある。
【００４４】
この発明によれば、受光部により受光した光線の強さを検出しこの光線の強さが最大となったときに受光検知信号を出力するように構成したので、被験者が血圧センサの位置と心臓位置とをより正確に合わせることができるという効果がある。
【００４６】
この発明によれば、処理部により、ハンドル部の高さ調整時に受光部からの受光検知信号を入力できたときにハンドル部の高さ調整が終了したものとして終了アラームを発生させるように構成したので、血圧測定中の心臓位置と血圧センサの位置とのずれを確認することができるという効果がある。
【００４７】
この発明によれば、処理部により、受光部からの受光検知信号を入力できなくなったときに警告アラームを発生させるか、または最高血圧値および最低血圧値の測定を中断させる処理部が受光部からの受光検知信号を入力できなくなったときにアラームを発生するように構成したので、誤った血圧値を除外することができるという効果がある。
【図面の簡単な説明】
【図１】  この発明の実施の形態１による運動療法装置を示す構成図である。
【図２】  この発明の実施の形態１による運動療法装置の使用状態を示す説明図である。
【図３】  この発明の実施の形態２による運動療法装置を示す構成図である。
【図４】  この発明の実施の形態２による運動療法装置の使用状態を示す説明図である。
【図５】  この発明の実施の形態３による運動療法装置を示す構成図である。
【図６】  この発明の実施の形態３による運動療法装置の使用状態を示す説明図である。
【図７】  この発明の実施の形態６による運動療法装置を示す構成図である。
【図８】  この発明の実施の形態６による運動療法装置の撮像部の撮像状態を示す状態図である。
【図９】  この発明の実施の形態７による運動療法装置を示す構成図であるる。
【図１０】  従来の運動療法装置の使用方法を示す説明図である。
【図１１】  トノメトリ方式のセンサの計測原理を説明する説明図である。
【図１２】  各センサエレメントが計測した波形を示す波形図である。
【符号の説明】
１  被験者、２  サドル、３  ペダル、４  固定部、５  ハンドル部、６  支柱、７  トノメトリ型血圧センサ（血圧センサ）、８  カフ型血圧センサ（血圧センサ）、９，１５，１６，１７  処理部、１１  回転負荷調整器（回転負荷調整手段）、１２，５１  発光部、２２，４２  受光部、３１  反射部、５１ａ  光線、６２  撮像部、６５  画面の特定部位、６６  位置特定部、７１  高さ位置合わせ部材。
【図１】
0003830603.tif 000002
【図２】
0003830603.tif 000003
【図３】
0003830603.tif 000004
【図４】
0003830603.tif 000005
【図５】
0003830603.tif 000006
【図６】
0003830603.tif 000007
【図７】
0003830603.tif 000008
【図８】
0003830603.tif 000009
【図９】
0003830603.tif 000010
【図１０】
0003830603.tif 000011
【図１１】
0003830603.tif 000012
【図１２】
0003830603.tif 000013